(57)【要約】【課題】本発明はホログラムの偽造による被害を防止するために、従来にない偽造防止技術を有したホログラムラベルを提供することを目的とする。【解決手段】本発明は透明基材２の一方の面に、少なくともホログラム形成層３、光反射性層４、接着剤層５を積層したホログラムラベル１において、前記透明基材２の他方の面に、応力により発光する材料を含有する応力発光材料含有層６を設け、かつ、前記透明基材と前記ホログラム形成層との間、または前記光反射性層と前記接着剤層との間に脆質層を設けることにより上記の課題を解決する。【選択図】図１
2015135509.tif 000002
【特許請求の範囲】
【請求項１】
透明基材の一方の面に、少なくともホログラム形成層、光反射性層、接着剤層を積層したホログラムラベルにおいて、
前記透明基材の他方の面に、応力により発光する材料として透明性の高い高分子樹脂中に粒子径が１０〜２００ｎｍの応力発光材料を分散させた材料を含有する層を設け、
かつ、前記透明基材と前記ホログラム形成層との間に脆質層を設けることにより、
当該ホログラムラベルに応力を加えない状態で、ホログラムのみが目視にて確認できるようにしたことを特徴とするホログラムラベル。
【請求項２】
透明基材の一方の面に、少なくともホログラム形成層、光反射性層、接着剤層を積層したホログラムラベルにおいて、
前記透明基材の他方の面に、応力により発光する材料として透明性の高い高分子樹脂中に粒子径が１０〜２００ｎｍの応力発光材料を分散させた材料を含有する層を設け、
かつ、前記光反射性層と前記接着剤層との間に脆質層を設けることにより、
当該ホログラムラベルに応力を加えない状態で、ホログラムのみが目視にて確認できるようにしたことを特徴とするホログラムラベル。
【請求項３】
前記の接着剤層と、剥離シートとが対向するように貼り合せられた構成であり、該剥離シートが接着剤層から剥離可能であることを特徴とする請求項１または２に記載するホログラムラベル。
【発明の詳細な説明】
【技術分野】
【０００１】
本発明は、ホログラムラベルに関し、更に詳しくは、ホログラムの偽造を防止するホログラムラベルに関するものである。
【背景技術】
【０００２】
近年、カラーコピー機などを使用して偽造品を製造する事件が頻発している。そのために、商品券やクレジットカード、高級ブランド品等に、高度な複製技術を必要とするホログラムを、ラベルで貼付する、あるいは転写して設けることが、偽造防止対策として、行なわれている。ホログラムは、その凹凸面に金属の反射層を形成することにより、ホログラムをコピーした時にホログラム形成部を黒に再現するため、コピー牽制手段として利用されている。
【０００３】
しかしながら、技術の進歩によって、ホログラムに近似、あるいはホログラム自体の偽造品が出現するようになってきた。そして、このような偽造品をチェックするために、ホログラムの光回折構造の中に判別困難な隠し情報を組み込んで真偽判別の手段として使用するものが、例えば、特許文献１に示されているように、提案されている。
【０００４】
ところが、これらの技術を使用した製品でも、偽造技術の高度化により、近年、ホログラムの偽造による被害が社会問題となっている。
一方、ホログラムラベルの偽造対策として、被着体に一度貼着した後に、剥離して貼り替えて、悪用しようとすると、ラベルが破壊する、脆質性を有したホログラムラベルが、特許文献２に示されている。
【０００５】
上記のようなホログラムラベルでも、ホログラム自体が巧妙に偽造されていると、見た目では偽造品として判定できないために、より高度な偽造防止の技術の開発が急務となっている。
【先行技術文献】
【特許文献】
【０００６】
【特許文献１】特開２００３−３４４６３３号公報
【特許文献２】特開平１０−２２２０７１号公報
【発明の概要】
【発明が解決しようとする課題】
【０００７】
そこで、本発明は、ホログラムの偽造による被害を防止するために、従来にない偽造防止技術を有したホログラムラベルを提供することを目的とする。
【課題を解決するための手段】
【０００８】
上記目的は以下の本発明によって達成される。
即ち、本発明のホログラムラベルの第１の態様は、透明基材の一方の面に、少なくともホログラム形成層、光反射性層、接着剤層を積層したホログラムラベルにおいて、前記透明基材の他方の面に、応力により発光する材料として透明性の高い高分子樹脂中に粒子径が１０〜２００ｎｍの応力発光材料を分散させた材料を含有する層を設け、かつ、前記透明基材と前記ホログラム形成層との間に脆質層を設けることにより、当該ホログラムラベルに応力を加えない状態で、ホログラムのみが目視にて確認できるようにしたことを特徴とする。
【０００９】
また、本発明のホログラムラベルの第２の態様は、透明基材の一方の面に、少なくともホログラム形成層、光反射性層、接着剤層を積層したホログラムラベルにおいて、前記透明基材の他方の面に、応力により発光する材料として透明性の高い高分子樹脂中に粒子径が１０〜２００ｎｍの応力発光材料を分散させた材料を含有する層を設け、かつ、前記光反射性層と前記接着剤層との間に脆質層を設けることにより、当該ホログラムラベルに応力を加えない状態で、ホログラムのみが目視にて確認できるようにしたことを特徴とする。
【００１０】
これにより、上記ホログラムラベルは、外力を加えることにより、発光する部分を目視にて容易に読み取ることができ、従来にはない偽造防止性の高いものである。つまり、ホログラムラベルに圧力等の応力を加えない状態では、ホログラム（形成層）のみが、目視にて確認でき、応力により発光する材料の含有層の情報は読み取ることができないので、偽造防止性が非常に高いものである。
【００１１】
また、本発明の第３の態様は、第１または第２の態様において、前記の接着剤層と、剥離シートとが対向するように貼り合せられた構成であり、該剥離シートが接着剤層から剥離可能であることを特徴とする。これにより、ホログラムラベルから、剥離シートを剥がすだけで、簡単に接着剤層により、任意の物にホログラムラベルを貼り付けることが可能となる。また、貼り付ける前に、ホログラムラベルがブロッキングすることなく、取扱いやすく、好ましいものである。
【発明の効果】
【００１２】
本発明のホログラムラベルは、上記構成をとることにより、従来には無い、偽造防止技術を有し、ホログラムの偽造による被害を防止することが可能となった。
【図面の簡単な説明】
【００１３】
【図１】本発明のホログラムラベルである一つの実施形態を示す断面図である。
【図２】本発明のホログラムラベルである他の実施形態を示す断面図である。
【発明を実施するための形態】
【００１４】
次に、本発明の実施の形態について、詳述する。
図１に、本発明のホログラムラベル１である一つの実施形態を示す。基材２の一方の面に、ホログラム形成層３、光反射性層４、接着剤層５を積層し、その基材２の他方の面に、応力により発光する材料を含有する層６を設けた構成のホログラムラベル１である。
また、図２は本発明のホログラムラベル１である他の実施形態を示す断面図であり、基材２の一方の面に、ホログラム形成層３、光反射性層４、接着剤層５、剥離シート７を積層し、その基材２の他方の面に、応力により発光する材料を含有する層６を設けた構成であり、図１のホログラムラベルの接着剤層５と、剥離シート７とが対向するように貼り合せた構成である。このホログラムラベル１から、剥離シート７を剥がすことができ、簡単に接着剤層５により、任意の物にホログラムラベルを貼り付けることが可能となる。
【００１５】
図１、２には、示さなかったが、例えば、光反射性層４と接着剤層５との間、あるいは基材２とホログラム形成層３との間に、脆質層を設け、被着体にあるホログラムラベルを、被着体から剥がそうとすると、脆質層が破壊して、ホログラムラベルの貼り替えによる偽造を防止することもできる。
【００１６】
以下に、本発明のホログラムラベルを構成する要素について、詳しく説明する。
（基材）
ホログラムラベルの基材２として、ホログラム（形成層）を観察できるように、光透過性を有し、用途に応じて種々の材料が適用できる。例えば、ポリエチレンテレフタレート、ポリエチレンナフタレートなどのポリエステル系樹脂、ナイロン６などのポリアミド系樹脂、ポリプロピレンなどのポリオレフィン系樹脂、環状ポリオレフィン系樹脂、ポリ塩化ビニルなどのビニル系樹脂、ポリメチルメタアクリレートなどのアクリル系樹脂、イミド系樹脂、ポリカーボネート、ＡＢＳ樹脂などのスチレン系樹脂、セルローストリアセテートなどのセルロース系フィルム、などがある。該基材は、これら樹脂を主成分とする共重合樹脂、または、混合体（アロイでを含む）、若しくは複数層からなる積層体であっても良い。また、該基材は、延伸フィルムでも、未延伸フィルムでも良いが、強度を向上させる目的で、一軸方向または二軸方向に延伸したフィルムが好ましい。該基材の厚さは、通常、２．５〜１００μｍ程度が適用できるが、４〜５０μｍが好適である。
【００１７】
該基材は、これら樹脂の少なくとも１層からなるフィルム、シート、ボード状として使用する。通常は、ポリエチレンテレフタレート、ポリエチレンナフタレート等のポリエステル系のフィルムが、強度、耐熱性、価格面でバランスがよく、好適に使用され、特にポリエチレンテレフタレートが最適である。
【００１８】
該基材は、基材上への塗布に先立って塗布面へ、コロナ放電処理、プラズマ処理、オゾン処理、フレーム処理、プライマー（アンカーコート、接着促進剤、易接着剤とも呼ばれる）塗布処理、予熱処理、除塵埃処理、蒸着処理、アルカリ処理、などの易接着処理を行ってもよい。また、該樹脂フィルムは、必要に応じて、充填剤、可塑剤、着色剤、帯電防止剤などの添加剤を加えても良い。
【００１９】
（ホログラム形成層）
ホログラム形成層３は、合成樹脂からなる層にホログラム等の光回折構造の凹凸が形成されたものである。光回折構造の代表例であるホログラムとしては、平面ホログラム、体積ホログラムともに使用でき、具体例としては、レリーフホログラム、リップマンホログラム、フルネルホログラム、フラウンホーファホログラム、レンズレスフーリエ変換ホログラム、レーザー再生ホログラム（イメージホログラムなど）、白色光再生ホログラム（レインボーホログラムなど）、カラーホログラム、コンピュータホログラム、ホログラムディスプレイ、マルチプレックスホログラム、ホログラフィックステレオグラム、ホログラフィック回折格子などが挙げられる。
【００２０】
ホログラム形成層を構成する合成樹脂としては、ポリ塩化ビニル、アクリル樹脂（例、ＰＭＭＡ）、ポリスチレン、ポリカーボネートなどの熱可塑性樹脂、不飽和ポリエステル、メラミン、エポキシ、ポリエステル（メタ）アクリレート、ウレタン（メタ）アクリレート、エポキシ（メタ）アクリレート、ポリエーテル（メタ）アクリレート、ポリオール（メタ）アクリレート、メラミン（メタ）アクリレート、トリアジン系アクリレートなどの熱硬化性樹脂をそれぞれ単独、或いは上記熱可塑性樹脂と熱硬化性樹脂とを混合して使用することができ、更には、ラジカル重合性不飽和基を有する熱成形性物質、或いは、これらにラジカル重合性不飽和単量体を加え電離放射線硬化性としたものなどを使用することができる。このほか、銀塩、重クロム酸ゼラチン、サーモプラスチック、ジアゾ系感光材料、フォトレジスト、強誘電体、フォトクロミックス材料、サーモクロミックス材料、カルコゲンガラスなどの感光材料なども使用できる。
【００２１】
上記の合成樹脂からなる層へのホログラム等の光回折構造の形成は、上記の材料を用いて、従来既知の方法によって形成することができる。例えば、回折格子やホログラムの干渉縞を表面凹凸のレリーフとして記録する場合には、回折格子や干渉縞が凹凸の形で記録された原版をプレス型として用い、上記樹脂層上に前記原版を重ねて加熱ロールなどの適宜手段により、両者を加熱圧着することにより、原版の凹凸模様を複製することができる。また、フォトポリマーを用いる場合は、前記基材上に、フォトポリマーを同様にコーティングした後、前記原版を重ねてレーザー光を照射することにより複製することができる。
【００２２】
このように、表面凹凸のレリーフとして回折格子やホログラムの干渉縞をホログラム形成層の表面に記録する方法は、量産性があり、コストも低くできる点で特に好ましい。このようなホログラム層の膜厚は０．５〜６μｍの範囲が好ましく、１〜４μｍの範囲が更に好ましい。上記のようにホログラム形成層の表面に凹凸のレリーフとして回折格子やホログラムの干渉縞を記録した場合には、その回折効率を高めるために、光反射性層４をレリーフ面に形成する。
【００２３】
（光反射性層）
光反射性層４を構成する材質としては、Ｍｇ、Ａｌ、Ｔｉ、Ｃｒ、Ｆｅ、Ｃｏ、Ｎｉ、Ｃｕ、Ｚｎ、Ｇａ、Ｇｅ、Ｓｅ、Ｒｂ、Ｐｄ、Ａｇ、Ｃｄ、Ｉｎ、Ｓｎ、Ｓｂ、Ｔｅ、Ａｕ、Ｐｂ、もしくはＢｉ等の金属、またはそれらの酸化物、もしくはそれらの窒化物を単独で、もしくは組み合わせ、薄膜として形成する。これらのうちでは、Ａｌ、Ｃｒ、Ｎｉ、Ａｇ、もしくはＡｕ等が特に好ましい。これらの薄膜で光反射性層を形成するには、真空蒸着法、スパッタリング法、イオンプレーティング法などの薄膜形成法による。
【００２４】
光反射性層の厚みは、光反射性層の色調、デザイン、用途等の観点から適宜に設定できるが、５０Å〜１μｍが好ましく、１００Å〜１０００Åがより好ましい。また、光反射性層に透明性を持たせたいときは２００Å以下が好ましく、光反射性層に隠蔽性を持たせたいときは、２００Åを超える厚みであることが好ましい。
【００２５】
（接着剤層）
接着剤層５は、常温で粘着性を有する粘着剤や、感熱接着剤から構成することができる。粘着剤の場合、例えば、酢酸ビニル樹脂、アクリル樹脂、酢酸ビニル−アクリル共重合体、酢酸ビニル−塩化ビニル共重合体、エチレン−酢酸ビニル共重合体、ポリウレタン樹脂や、天然ゴム、クロロプレンゴム、ニトリルゴムなどが挙げられる。また感熱接着剤の場合、ガラス転移温度が５０℃〜８０℃の熱可塑性樹脂から形成することがより好ましく、例えば、ポリエステル樹脂、塩化ビニル−酢酸ビニル共重合体樹脂、アクリル樹脂、ブチラール樹脂、エポキシ樹脂、ポリアミド樹脂、塩化ビニル樹脂等の如く熱時接着性の良好な樹脂から、適当なガラス転移温度を有するものを選択することが好ましい。
【００２６】
接着剤層を粘着剤から構成する場合、通常は後記の剥離シートと貼り合わせて使用することにより、貼り付ける前に、ホログラムラベルがブロッキングすることなく、取扱いやすくなる。接着剤層の塗工量は、約８〜３０ｇ／ｍ２（固形分）が一般的であり、従来公
知の方法、すなわち、グラビアコート、グラビアリバースコート、ロールコート等の方法で、形成することができる。
【００２７】
（応力により発光する材料を含有する層）
本発明の応力により発光する材料を含有する層６、すなわち応力発光材料含有層は、バインダー（接合剤）、応力発光材料、添加剤、溶媒などから構成するインキを印刷して、形成することが出来る。応力により発光する材料、すなわち応力発光材料は、外部から加えられた歪みエネルギーによって、材料自体が発光するという性質を有し、かつその歪みエネルギーに比例して発光強度を変化させるという性質を有する。応力発光材料は、例えば、高度に構造を制御した無機結晶骨格の中に、発光中心となる元素を添加した材料（セラミックス）であり、粉末微粒子の状態で得られる。無機材料や発光中心の種類を選択することにより、紫外〜可視〜赤外の様々な波長で発光する材料が得られている。このような応力発光材料を含有する印刷部は、目視または機械により、読み取ることができる。
【００２８】
本発明のホログラムラベルは、表面に応力発光材料含有層を設けているので、表面を引掻いたり、擦ったりして、外力を加えることにより、容易に応力発光材料含有層の発光を発現させることができる。応力発光材料は、与えられたエネルギーによる発光の減衰時間により応力発光蛍光材料と応力発光リン光材料に分けることができる。蛍光発光性を持つ材料として、例えば発光中心としてユウロピウムを添加したアルミン酸ストロンチウム（ＳｒＡｌ２Ｏ４：Ｅｕ、緑色に発光）、マンガンを発光中心として添加した硫化亜鉛（ＺｎＳ：Ｍｎ、黄緑色に発光）などが挙げられる。これらの応力発光材料は、粒子として印刷インキ中に存在させて、該インキを印刷し、応力発光材料を含有する層を形成する。特に、１０〜２００ｎｍ程度の粒子径である、いわゆるナノ粒子の形状で、応力発光材料を透明性の高い高分子樹脂中に分散させた材料を用いて、印刷インキを調整することが、発光性の向上と、安定化ができるので、好ましく行なわれる。上記のナノ粒子の応力発光材料を分散させる高分子樹脂としては、例えば、ポリメチルメタアクリレート（ＰＭＭＡ）、エポキシ樹脂などが挙げられる。
【００２９】
応力発光材料を含有する層を形成するためのインキは、印刷方式に応じたインキ特性を持つように、また、必要な発光強度が得られるように、バインダー（接合剤）、応力発光材料、添加剤、溶媒などの配合割合が決定される。応力発光材料を含有する層を形成するための印刷は、一般に公知の凹版、凸版、オフセット、スクリーン、グラビア、フレキソによる印刷若しくはインキジェット印刷、スプレー印刷又はコーティング等の方式が採用できる。
【００３０】
（剥離シート）
本発明で使用する剥離シート７は、従来公知のプラスチックフィルムでよく、例えばポリエチレンテレフタレートフィルム、基材内部にミクロボイドを有するポリエチレンテレフタレートフィルム等が挙げられる。また、グラシン紙または顔料コート紙にポリエチレン等をラミネートしたポリラミ原紙や、ポリプロピレン等を主成分とした合成紙を剥離シートとして使用することもできる。但し、上記の樹脂フィルム、合成紙の表面に離型層として、シリコーン系剥離剤やワックス系剥離剤を０．０３ｇ／ｍ２〜０．２０ｇ／ｍ２塗布して形成し、接着剤層との剥離性を高めることができる。
【実施例】
【００３１】
（実施例１）
透明基材２として厚みが５０μｍのポリエチレンテレフタレート樹脂フィルムを準備し、その片面に、紫外線硬化性樹脂を塗布し、レリーフホログラムの複製用型を圧着した状態で紫外線を照射して硬化させ、ホログラムの微細凹凸を有するホログラム形成層３を形成した。得られたホログラム形成層３の微細凹凸上に、アルミニウムを厚みが４００Åになるよう蒸着して、光反射性層４を形成し、その光反射性層の表面に、エチレン−酢酸ビニル共重合体からなる粘着剤を２０ｇ／ｍ２（固形分）で塗布して、接着剤層５を形成し
、さらにグラシン紙にポリエチレンをラミネートしたポリラミ原紙の剥離シートをラミネートした。
【００３２】
上記の透明基材２の他方の面に、下記の応力発光材料を含有するインキを用いて、グラビア印刷で、応力により発光する材料を含有する層６を形成して、実施例１のホログラムラベルを作製した。
【００３３】
応力発光材料を含有するインキとして、ユウロピウムを発光中心として添加したアルミン酸ストロンチウム（ＳｒＡｌ２Ｏ４：Ｅｕ、緑色に発光）のナノ粒子（平均粒径２０ｎｍ）をポリメチルメタアクリレート（ＰＭＭＡ）の高分子樹脂に分散させた材料と、その他ビヒクル、添加剤などを加えて、グラビアインキを調整した。
【００３４】
上記の得られた実施例１のホログラムラベルは、ホログラム（形成層）が、目視にて確認でき、さらに該ホログラムラベルの表面を引掻くなどして、表面に外力を加えることにより、応力発光材料含有層を目視にて容易に読み取ることができ、従来にはない偽造防止性の高いものであった。つまり、ホログラムラベルに圧力等の応力を加えない状態では、ホログラム（形成層）のみが、目視にて確認でき、応力により発光する材料の印刷部の情報は読み取ることができないので、偽造防止性が非常に高いものであった。
【符号の説明】
【００３５】
１      ホログラムラベル
２      基材
３      ホログラム形成層
４      光反射性層
５      接着剤層
６      応力により発光する材料を含有する層
７      剥離シート
【図１】
2015135509.tif 000003
【図２】
2015135509.tif 000004